【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
洗剤を作製するための前駆体であって、
・前記前駆体の総重量を基準として、１６ｗｔ％〜４４ｗｔ％の濃度の水と、
・前記前駆体の総重量を基準として、２５ｗｔ％〜４５ｗｔ％の濃度のアルキル硫酸塩と、
・脂肪酸アルカノールアミド及び／又は脂肪酸アミドアミンと
を含み、ラメラ相で存在し、追加の水及び１個又は２個以上の非極性化合物の添加の後にリンギングゲルを形成することができ、かつ、
前記アルキル硫酸塩の量と、前記脂肪酸アミドアミン及び／又は脂肪酸アルカノールアミドの量との相対的比率が、４０／６０〜６０／４０であり、
前記脂肪酸アルカノールアミドが式
【化１】
2017525805.tif 000001
（式中、Ｒ１は、６〜２２個の炭素原子を有するアルキル、アルケニル、ヒドロキシアルキル又はヒドロキシアルケニルであり、Ｒ２は、２〜６個の炭素原子を含むヒドロキシアルキル基であり、Ｒ３は水素若しくはアルキル基であるか、又はＲ２と同じ意味を有する）
で表わされ、
前記脂肪酸アミドアミンが式
【化２】
2017525805.tif 000002
（式中、Ｒ４は、６〜２２個の炭素原子を含むアルキル、アルケニル、ヒドロキシアルキル又はヒドロキシアルケニルであり、Ｒ５は、水素、アルキル基又は２〜４個の炭素原子を含むヒドロキシアルキル基であり、Ｒ６は２〜４個の炭素原子を含むアルキル基であり、Ｒ７とＲ８とは、それぞれ独立に、水素、アルキル基又は２〜４個の炭素原子を含むヒドロキシアルキル基である）
で表わされる、前記前駆体。
【請求項２】
前駆体の総重量を基準として、２０〜４０ｗｔ％の濃度の水を含む、請求項１に記載の前駆体。
【請求項３】
追加の水及び１個又は２個以上の非極性化合物の添加の後に、衛生対象物に付着することが可能なリンギングゲルを形成することができる、請求項１又は２に記載の前駆体。
【請求項４】
２５℃より低い凝固温度を有し、凝固温度より５〜１０℃高い温度及びそれを超える温度で注入可能である、請求項１〜３のいずれかに記載の前駆体。
【請求項５】
アルキル硫酸塩の量と、脂肪酸アミドアミン及び／又は脂肪酸アルカノールアミドの量との相対的比率が、４５／５５〜５０／５０である、請求項１〜４のいずれかに記載の前駆体。
【請求項６】
脂肪酸アルカノールアミドが、コカミドＭＩＰＡ、コカミドＭＥＡ、コカミドＤＥＡ、コカミドメチルＭＥＡ、ラウラミドＭＥＡ、ラウラミドＤＥＡ、ラウラミドＭＩＰＡ、ミリストアミドＭＥＡ、ミリストアミドＤＥＡ、ミリストアミドＭＩＰＡ、ステアラミドＭＥＡ、ステアラミドＤＥＡ、ステアラミドＭＩＰＡ、ヒドロキシステアラミドＭＥＡ、イソステアラミドＤＥＡ、Ｎ−トリス（ヒドロキシメチル）メチルラウラミド、オレアミドＭＥＡ、オレアミドＤＥＡ、オレアミドＭＩＰＡ、ソイアミドＭＥＡ、ソイアミドＤＥＡ、ソイアミドＭＩＰＡ、ベヘンアミドＭＥＡ、ベヘンアミドＤＥＡ、パルミトアミドＭＥＡ、パルミトアミドＤＥＡ、リシノールアミドＭＥＡ、リシノールアミドＤＥＡ、リシノールアミドＭＩＰＡ、タロウアミドＭＥＡ、タロウアミドＤＥＡ、ウンデシレンアミドＭＥＡ、ウンデシレンアミドＤＥＡ、Ｎ−ラウロイル−Ｎ−メチルグルカミド、Ｎ−ココイル−Ｎ−メチルグルカミド及びそれらの混合物からなる群から選択される、請求項１〜５のいずれかに記載の前駆体。
【請求項７】
脂肪酸アルカノールアミドが、コカミドＭＩＰＡである、請求項６に記載の前駆体。
【請求項８】
脂肪酸アミドアミンが、ステアラミドプロピルジメチルアミン、コカミドプロピルジメチルアミン、ラウリルミリスチルアミドプロピルジメチルアミン、ステアラミドエチルジエチルアミン、イソステアラミドプロピルジメチルアミン、ラウラミドプロピルジメチルアミン、ミリストアミドプロピルジメチルアミン、ソイアミドプロピルジメチルアミン、オレアミドプロピルジメチルアミン、パルミトアミドプロピルジメチルアミン、リシノールアミドプロピルジメチルアミン、タロウアミドプロピルジメチルアミン、ベヘンアミドプロピルジメチルアミン又はその混合物である、請求項１〜７のいずれかに記載の前駆体。
【請求項９】
脂肪酸アルカノールアミド及び／又は脂肪酸アミドアミンの濃度が、前駆体の総重量を基準として２５ｗｔ％〜４５ｗｔ％である、請求項１〜８のいずれかに記載の前駆体。
【請求項１０】
アルキル硫酸塩が、６〜２２個の炭素原子を含むアルキル基を含み、及び／又はアルキル硫酸塩が、金属アルキル硫酸塩、アルキル硫酸アンモニウム又はアルキル硫酸塩のアミン誘導体である、請求項１〜９のいずれかに記載の前駆体。
【請求項１１】
洗浄及び／又は消毒及び／又は脱臭用の洗剤であって、
前記洗剤が、請求項１〜１０のいずれかに記載の前駆体と、洗剤中の水の総量の濃度が、前記洗剤の総重量を基準として、３５〜７０ｗｔ％となる追加の水と、１個若しくは２個以上の非極性化合物と、ヒドロトロープとを含み、かつ、任意で香料を含み、
アルキル硫酸塩の含量が、前記洗剤中に、１２〜１６ｗｔ％であり、
脂肪酸アルカノールアミド及び／又は脂肪酸アミドアミンの含量が、前記洗剤の重量を基準として１２〜１６ｗｔ％であり、
前記１個又は２個以上の非極性化合物の含量が、前記洗剤中に、７〜２５ｗｔ％であり、かつ
前記ヒドロトロープが、前記洗剤の総重量を基準として、最大１６ｗｔ％までの量で存在し、
前記洗剤が、４０℃を超えるゲル化点を有する硬質リンギングゲルである、前記洗剤。
【請求項１２】
洗剤の総重量を基準として、４０〜６５ｗｔ％となる追加の水を含む、請求項１１に記載の洗剤。
【請求項１３】
洗剤の総重量を基準として、４２〜６２ｗｔ％となる追加の水を含む、請求項１２に記載の洗剤。
【請求項１４】
洗剤が、５０℃を超えるゲル化点を有する硬質リンギングゲルである、請求項１１〜１３のいずれかに記載の洗剤。
【請求項１５】
適用後に衛生対象物に付着することができる、前記衛生対象物の洗浄及び／又は消毒及び／又は脱臭のための、請求項１１〜１４のいずれかに記載の洗剤。
【請求項１６】
総水分量が、洗剤の総重量を基準として、４０〜６５ｗｔ％である、請求項１１〜１５のいずれかに記載の洗剤。
【請求項１７】
総水分量が、洗剤の総重量を基準として、４２〜６２ｗｔ％である、請求項１６に記載の洗剤。
【請求項１８】
脂肪酸アルカノールアミド及び／又は脂肪酸アミドアミンの含量が、洗剤の総重量を基準として、１３〜１５ｗｔ％である、請求項１１〜１７のいずれかに記載の洗剤。
【請求項１９】
アルキル硫酸塩の含量が、洗剤の総重量を基準として、１３〜１５ｗｔ％である、請求項１１〜１８のいずれかに記載の洗剤。
【請求項２０】
１個又は２個以上の非極性化合物の含量が、洗剤の総重量を基準として、９〜２０ｗｔ％である、請求項１１〜１９のいずれかに記載の洗剤。
【請求項２１】
ヒドロトロープが、洗剤の総重量を基準として、最大で１０ｗｔ％までの量で存在する、請求項１１〜２０のいずれかに記載の洗剤。
【請求項２２】
アルキル硫酸塩の量と、脂肪酸アミドアミン及び／又は脂肪酸アルカノールアミドの量との相対的比率が、４５／５５〜５０／５０である、請求項１１〜２１のいずれかに記載の洗剤。
【請求項２３】
１個又は２個以上の非極性化合物が、炭化水素油、アルキルカーボネート、合成油及び植物油、精油、油性エステル類、シリコン油、香料及びそれらの組合せからなる群から選択される、請求項１１〜２２のいずれかに記載の洗剤。
【請求項２４】
ｐＨ調整剤、ｐＨ緩衝剤、構造化剤、溶解制御剤、防腐剤、錯化剤、殺生物剤、石灰スケール除去剤、漂白剤、酵素、ポリマー及び／又は染料をさらに含む、請求項１１〜２３のいずれかに記載の洗剤。
【請求項２５】
・７０〜８０℃の温度に水を加熱するステップと、
・任意にヒドロトロープを添加するステップと、
・請求項１〜１０のいずれかに記載の前駆体を添加して粘稠な液体混合物を得るステップと、
・任意に香料を添加するステップと、
・任意にゲル化点調整剤、溶解制御剤、ｐＨ調整剤、ｐＨ緩衝剤、構造化剤、防腐剤、錯化剤、殺生物剤、石灰スケール除去剤、漂白剤、酵素、ポリマー及び／又は染料を添加するステップと、
・１個又は２個以上の非極性化合物を添加するステップと、
・得られた混合物を室温に冷却して、硬質リンギングゲル洗剤を得るステップと
を含む、請求項１１〜２４のいずれかに記載の洗剤を製造する方法。
【請求項２６】
硬質リンギングゲル洗剤が、立方相である、請求項２５に記載の方法。
【請求項２７】
布帛ケア、家庭用、施設用又は工業用目的の表面ケア、パーソナルケア並びにエアフレッシュナー及び虫よけにおける、請求項１１〜１４及び１６〜２４のいずれかに記載の洗剤の使用。
【手続補正２】
【補正対象書類名】明細書
【補正対象項目名】００８５
【補正方法】変更
【補正の内容】
【００８５】
流動性のペーストを形成するすべての前駆体はラメラ相で存在する。図３は、カウント時間６００秒後の１０、２０、３０、６０及び８０℃での、前駆体のＸ線小角散乱（ＳＡＸＳ）図を示し、前駆体がラメラ相で存在することを示している。
【手続補正３】
【補正対象書類名】明細書
【補正対象項目名】００８７
【補正方法】変更
【補正の内容】
【００８７】
２．リンギングゲルの調製
数個の洗剤を前駆体から作製し、これは表２に記載した配合物を含む。洗剤は、７０〜８０℃の温度に水を加熱することにより作製する。クメンスルホン酸ナトリウム（ＳＣＳ）を添加しないＱを除いて、この水にＳＣＳを添加する。次いで、表１からの前駆体を、水に添加する。前駆体を添加することによって、粘稠混合物が得られる。この混合物に、香料を添加する。さらに、適量（ｑ．ｓ．）の防腐剤又は染料を添加することができる。次いで、非極性化合物を粘稠混合物に添加し、室温に冷却する。リンギングゲルが得られ、これは衛生対象物に貼り付くことができる。
【手続補正４】
【補正対象書類名】明細書
【補正対象項目名】００８９
【補正方法】変更
【補正の内容】
【００８９】
表３は、種々の濃度で洗剤（衛生用製品）の成分を用いる配合物を示す。リンギングゲルが形成される場合に限り、衛生対象物に貼り付くことができる衛生用製品が得られる。実施例１、２、３、８、４、９、１３、１６、１８及び１９は、比較例である。実施例Ａ、１０、１１、１２、１４、１５及び１７は、本発明による実施例である。